(57)【要約】【課題】  開封に際し、封緘用粘着テープを手間なく捲り（めくり）起して、その捲り起し部を指で掴んで封緘用粘着テープを容易に引き剥がすことができるようにした包装用紙箱の提供。【解決手段】  箱組立状態で外フラップ１０、１０がそれぞれ内フラップ２０、２０の外側に重なると共に、その先端縁同士が胴壁部２、２の幅方向中央部で突き合わされるように形成された包装用紙箱において、胴壁部の幅方向中央部の上部表面に封緘用粘着テープＦに対する易剥離加工群５が形成されている。【選択図】  図３
2014001007.tif 000002
【特許請求の範囲】
【請求項１】
対向する第１胴壁部（１）、（１）と、対向する第２胴壁部（２）、（２）とにより形成された四角筒状胴部（３）と、
前記第１胴壁部（１）、（１）の上下縁に連接された外フラップ（１０）、（１０）と、
前記第２胴壁部（２）、（２）の上下縁に連接された内フラップ（２０）、（２０）と、を備え、
箱組立状態で前記外フラップ（１０）、（１０）がそれぞれ前記内フラップ（２０）、（２０）の外側に重なると共に、その先端縁同士が前記第２胴壁部（２）、（２）の幅方向中央部で突き合わされるように形成された包装用紙箱において、
前記第２胴壁部（２）、（２）の幅方向中央部の上部表面に封緘用粘着テープ（Ｆ）に対する易剥離加工群（５）が形成されていることを特徴とする包装用紙箱。
【請求項２】
請求項１記載の包装用紙箱において、前記易剥離加工群（５）が、多数の小孔を形成した小孔群（５ａ）及び／又は多数の凸部を形成した凸部群（５ｂ）及び／又は多数の凹部を形成した凹部群（５ｃ）及び／又は多数の切込みを形成した切込み群（５ｄ）で形成されている包装用紙箱。
【請求項３】
請求項１又は２記載の包装用紙箱において、前記易剥離加工群域（５）内における壁体に、封緘用粘着テープ（Ｆ）を表面から箱の内部方向へ押して凹み易くするための凹み形成補助部（７）が形成されている包装用紙箱。
【請求項４】
請求項１又は２又は３記載の包装用紙箱において、前記易剥離加工群（５）が、壁体の表面に易剥離性に優れた成分構成の剥離剤を塗布した易剥離面（４）上に形成されている包装用紙箱。
【発明の詳細な説明】
【技術分野】
【０００１】
本発明はダンボール箱等の包装用紙箱に係り、特に、包装時に用いられるＯＰＰ粘着テープやクラフト粘着テープや布製粘着テープ等の封緘用粘着テープを容易に剥がすことができる包装用紙箱に関する。
【背景技術】
【０００２】
従来のダンボール箱は、対向する第１胴壁部と、対向する第２胴壁部との４枚の胴壁部により四角筒状胴部が形成され、前記第１胴壁部の上下縁に外フラップが連接され、第２胴壁部の上下縁に内フラップが連接された構造になっている。
【０００３】
包装に際しては、あらかじめ下側の内フラップ及び外フラップを折り込んで底部を形成し、その状態で箱の内部に商品等を収納させた後、上側の内フラップと外フラップを折り込み、外フラップ同士の突き合わせ部分から第２胴壁部の上部にかけて封緘用粘着テープを接着するのが一般的である。
【０００４】
このようにして包装された段ボール箱を開封するには、第２胴壁部の上部において封緘用粘着テープの端部に爪等を強く立てるなどして封緘用粘着テープの端部を起こし、そこを指で掴んで引き剥すことが行われるが、手間がかかるという不都合がある。
【０００５】
特に、安価なため封緘用粘着テープとして近年多用されているＯＰＰ（延伸ポリプロピレン）粘着テープは、強度に優れているため比較的薄く形成され、さらにその接着力も高いことから、爪等を立てて端部を起こすことは極めて困難である。
【０００６】
また、カッターナイフ等を外フラップの突合せ部で走らせて封緘用粘着テープを切断し段ボール箱を開封することも行われるが、この場合、カッターナイフの取扱いに注意を要するほか、カッターナイフによって収納された商品等を傷つけてしまうおそれがあり、丁寧な作業を心がける必要がある。
【０００７】
また、このようにカッターナイフ等を用いて開封したとしても、段ボール箱をリサイクルして再パルプ化する際には、段ボール箱に残った封緘用粘着テープを除去する必要があり、封緘用粘着テープを引き剥がす手間が必要になることには変わりがない。
【０００８】
そこで、従来、封緘用粘着テープを簡単に引き剥がすことができるように、第２胴壁部の上部中央部に封緘用粘着テープの幅よりもやや大きな切離可能域を形成した段ボール箱が知られている（特許文献１参照）。
【０００９】
この従来の段ボール箱は、外フラップ同士の突き合わせ部分から第２胴壁部の上部にかけて封緘用粘着テープを接着して包装する際に、粘着テープの端部を切離可能域に位置するように接着させる。
そして、開封に際しては、指を押込部分から箱の内部にまで押し込んで切離可能域を起こし、そこを指で掴んで封緘用粘着テープと共に切離可能域を引き上げることによって、封緘用粘着テープを引き剥がすようにしたものである。
【先行技術文献】
【特許文献】
【００１０】
【特許文献１】実用新案登録第３１６４０５３号公報
【発明の概要】
【発明が解決しようとする課題】
【００１１】
この従来のダンボール箱では、切離可能域を掴んで封緘用粘着テープを引き剥がすことができるため、封緘用粘着テープに爪等を立てるなどして封緘用粘着テープの端部を起こすといった手間を必要とせず封緘用粘着テープを容易に剥ぎ取ることが可能になる。
【００１２】
しかしながら、開封に際し、切離可能域によって第２胴壁部の上部が完全に切り離されてしまうため、第２胴壁部の上部に封緘用粘着テープの幅よりもやや大きな孔が開いてしまう。
又、切離可能域を掴むには指を押込部分から箱の内部にまで押し込む必要があり、箱内に缶などが隙間なく詰め込まれているような場合には、指を押し込むことができず切離可能域を掴むことができないという問題もある。
【００１３】
開封後のダンボール箱については、エコロジーの観点からこれを再使用（リユース）することができるようにすることも必要になるが、この場合、従来のように切離可能域の除去によって封緘用粘着テープの幅よりもやや大きな孔が開いてしまうと、再使用（リユース）に際し、封緘用粘着テープを接着させることができなくなるし、孔によって第２胴壁部の強度が弱くなり、包装箱として使用できなくなってしまうという問題が生じる。
【００１４】
本発明は、上記のような問題を解決するためになされたもので、開封に際し、封緘用粘着テープを手間なく捲り（めくり）起すことができるようにして、その捲り起し部を指で掴んで封緘用粘着テープを容易に引き剥がすことができるようにした包装用紙箱を提供することを課題としている。
【課題を解決するための手段】
【００１５】
上記課題を解決するために、本発明は以下のように構成した。
即ち、本発明の請求項１記載の包装用紙箱は、対向する第１胴壁部（１）、（１）と、対向する第２胴壁部（２）、（２）とにより形成された四角筒状胴部（３）と、
前記第１胴壁部（１）、（１）の上下縁に連接された外フラップ（１０）、（１０）と、
前記第２胴壁部（２）、（２）の上下縁に連接された内フラップ（２０）、（２０）と、を備え、
箱組立状態で前記外フラップ（１０）、（１０）がそれぞれ前記内フラップ（２０）、（２０）の外側に重なると共に、その先端縁同士が前記第２胴壁部（２）、（２）の幅方向中央部で突き合わされるように形成された包装用紙箱において、
前記第２胴壁部（２）、（２）の幅方向中央部の上部表面に封緘用粘着テープ（Ｆ）に対する易剥離加工群（５）が形成されている構成とした。
【００１６】
又、本発明の請求項２記載の包装用紙箱は、請求項１記載の包装用紙箱において、前記易剥離加工群（５）が、多数の小孔を形成した小孔群（５ａ）及び／又は多数の凸部を形成した凸部群（５ｂ）及び／又は多数の凹部を形成した凹部群（５ｃ）及び／又は多数の切込みを形成した切込み群（５ｄ）で形成されている構成とした。
【００１７】
又、本発明の請求項３記載の包装用紙箱は、請求項１又は２記載の包装用紙箱において、前記易剥離加工群域（５）内における壁体に、封緘用粘着テープ（Ｆ）を表面から箱の内部方向へ押して凹み易くするための凹み形成補助部（７）が形成されている構成とした。
【００１８】
又、本発明の請求項４記載の包装用紙箱は、請求項１又は２又は３記載の包装用紙箱において、前記易剥離加工群（５）が、壁体の表面に易剥離性に優れた成分構成の剥離剤を塗布した易剥離面（４）上に形成されている構成とした。
【発明の効果】
【００１９】
本発明の包装用紙箱（請求項１）は、第２胴壁部の幅方向中央部の上部表面に封緘用粘着テープに対する易剥離加工群を形成させた構成に特徴がある。
【００２０】
包装用紙箱を用いた包装に際しては、箱の内部に商品等を収納させた後、上面側の内フラップと外フラップを折り込み、外フラップ同士の突き合わせ部分から第２胴壁部の上部表面に形成した易剥離加工群まで封緘用粘着テープを接着することになる。
このとき、封緘用粘着テープが易剥離加工群内に位置しているため、この封緘用粘着テープが易剥離加工群に対して剥がれ易い状態で付着している。
これにより、開封に際し、封緘用粘着テープを易剥離加工群内で爪先等で軽く捲り起すことができ、そこを指で掴んで容易に封緘用粘着テープを引き剥すことができる。
【００２１】
前記易剥離加工群としては、多数の小孔群、又は多数の凸部群、又は多数の凹部群、又は多数の切込み群、又はこれらを組み合わせた態様がある（請求項２）。
【００２２】
又、前記易剥離加工群内における壁体に、凹み形成補助部（例えば、切り込み線や孔）を形成させると（請求項３）、この凹み形成補助部で封緘用粘着テープを表面から箱の内部方向へ押して凹ませれば、封緘用粘着テープを歪み変形させて浮かせることができる。
従って、封緘用粘着テープを爪先等で捲り起すといった面倒な手間を省略して容易に剥離させることができる。
又、従来と異なり、指を箱の内部にまで押し込む必要がなく、内容物の缶などが隙間なく詰め込まれていたとしても凹み形成補助部を箱の内部方向へ押して凹ませるだけで封緘用粘着テープを浮かせることができ、容易に封緘用粘着テープを指で掴むことができる。
【００２３】
前記凹み形成補助部は封緘用粘着テープの上から見えることが好ましく、従って、この凹み形成補助部を形成させた構造の包装用紙箱については、透明のＯＰＰ粘着テープを封緘用粘着テープとして用いた場合に好適である。
【００２４】
又、前記易剥離加工群を、壁体表面に易剥離性に優れた成分構成の剥離剤を塗布した易剥離面上に形成してもよく、この場合、易剥離加工群と易剥離面との両方の易剥離作用によって封緘用粘着テープを容易に剥ぎ取ることができる。
【００２５】
以上のように、本発明によれば、封緘用粘着テープを容易に剥ぎ取ることができるため開封作業が容易になるし、再パルプ化する際に封緘用粘着テープを剥ぎ取る作業が不要になるためリサイクルが容易になる。
【００２６】
又、開封に際し、封緘用粘着テープによって壁面表面が剥ぎ取られることがあったとしても、従来と異なり、第２胴壁部の上部に大きな孔が開いてしまうといったことがないので、包装箱としての強度を維持することができ、これを再使用（リユース）することが可能になる。
【図面の簡単な説明】
【００２７】
【図１】本発明の実施例に係るダンボール箱（包装用紙箱）を示す斜視図。
【図２】そのダンボール箱を示す展開図。
【図３】そのダンボール箱を示す要部の斜視図。
【図４】そのダンボール箱と封緘用粘着テープの位置関係を示す説明斜視図。
【図５】そのダンボール箱の使用方法の例を示す要部の斜視図。
【図６】そのダンボール箱と封緘用粘着テープの位置関係の他例を示す説明斜視図。
【図７】そのダンボール箱の使用方法の例を示す要部の斜視図。
【図８】易剥離加工群の他例を示す斜視図。
【図９】易剥離加工群の他例を示す斜視図。
【図１０】易剥離加工群の他例を示す斜視図。
【図１１】凹み形成補助部の他例を示す斜視図。
【図１２】凹み形成補助部の他例を示す斜視図。
【図１３】凹み形成補助部の他例を示す斜視図。
【図１４】易剥離加工群を易剥離面の上に形成した例を示す斜視図。
【発明を実施するための形態】
【００２８】
以下の実施例において、包装用紙箱としてダンボール箱を例にとる。
実施例のダンボール箱は、図１及び図２に示すように、２面の第１胴壁部１、１と、２面の第２胴壁部２、２を備え、各胴壁部１、２、１、２は折り線８０、８１、８２を介して一体に連接されている。
【００２９】
前記第１胴壁部１の側端には糊代片１１が折り線８３を介して一体に連接され、前記各折り線８０、８１、８２から折り曲げて糊代片１１を第２胴壁部２の側端に接合させることで、第１胴壁部１、１が対向し、第２胴壁部２、２が対向した四角筒状胴部３を形成させることができる。
【００３０】
実施例では、図２に示すように、第１胴壁部１の横幅Ｌ１を、第２胴壁部２の横幅Ｌ２よりも広幅に形成させることにより平面視で長方形の四角筒状胴部３を形成させている。尚、前記四角筒状胴部３は平面視で正方形に形成したものでもよい。
【００３１】
前記第１胴壁部１の上下縁にはそれぞれ外フラップ１０、１０が折り線１３を介して一体に連接され、第２胴壁部２の上下縁にはそれぞれ内フラップ２０、２０が折り線２３を介して一体に連接されている。
【００３２】
前記外フラップ１０の高さＨ１は前記第２胴壁部の横幅Ｌ２の半分(１／２)に形成され、前記内フラップ２０の高さＨ２は外フラップ１０の高さＨ１と同一に形成されている。
これにより、箱組立状態で、外フラップ１０、１０の先端縁同士を前記第２胴壁部２の幅方向中央部で突き合わせることができる。
【００３３】
そして、包装に際しては、下側の内フラップ２０及び外フラップ１０を折り込んで底部を形成し、その状態で箱の内部に商品等を収納させた後、上側の内フラップ２０と外フラップ１０を折り込み、外フラップ１０、１０同士の突き合わせ部分９から第２胴壁部２の上部にかけて封緘用粘着テープＦを接着させることになる。
【００３４】
前記第２胴壁部２の幅方向中央部の上部表面には封緘用粘着テープＦに対する易剥離加工群５が形成されている。
【００３５】
この易剥離加工群５は封緘用粘着テープＦに対する接着面積を減少させることで、封緘用粘着テープＦを剥がれ易い状態に付着させるために加工したものである。
【００３６】
実施例の易剥離加工群５は、図３に示すように、壁体表面に多数の小孔を形成させた小孔群５ａで、その小孔の形状は円形、角形、長円形、十字形等限定はないし、大きさや数についても接着面積を減少させて易剥離性が得られるものであれば制限されない。尚、この小孔は壁体を貫通したもの、貫通しないものを含む。
【００３７】
この小孔群５ａの加工例として、例えば、多数の針を台座に立設させた剣山を壁体の裏面から表面に向けて貫通させると、壁体表面に多数の小孔が形成されると共に各小孔の周囲が針の突き刺しに伴い表面に押し出されて凸部として盛り上がるように形成され、良好な易剥離性を得ることができる。
【００３８】
次に、図８〜図１０は易剥離加工群５の他例を示している。
図８で示した易剥離加工群５は壁体表面に多数の凸部を形成させた凸部群５ｂで、図９で示した易剥離加工群５は壁体表面に多数の凹部（エンボス）を形成させた凹部群５ｃである。
この凸部群５ｂ、凹部群５ｃを構成する凹部、凸部は円形、角形、長形、筋状形、十字形等形状に限定はないし、大きさや数についても接着面積を減少させて易剥離性を得ることができるものであれば制限はない。
【００３９】
図１０で示した易剥離加工群５は壁体表面に多数の切込み（スリット）を形成させた切込み群５ｄで、その切込みの方向は縦方向、横方向、斜め方向等、限定はないし、長さや数についても接着面積を減少させて易剥離性を得ることができるものであれば制限されない。尚、切込みは壁体を貫通したもの、貫通しないものを含む。
【００４０】
前記易剥離加工群５の領域サイズについては、この易剥離加工群５内に封緘用粘着テープＦの端部を位置させ易いようにするため、図４に示すように、その横幅Ａ１は封緘用粘着テープＦの幅Ｆ１と同一幅か若干広幅に形成するのが好ましく、一般に広く用いられている封緘用粘着テープＦの幅Ｆ１が５０ｍｍであることから、易剥離加工群５の横幅Ａ１は５０〜７０ｍｍ程度が好ましいが、５０ｍｍよりも若干狭くても差し支えない。
又、易剥離加工群５の領域形状についても、方形、円形、楕円形等、適宜である。
尚、封緘に際し、封緘用粘着テープＦの端末位置は、図４に示すように易剥離加工群５の領域内に収まるようにさせてもよいし、図６に示すように易剥離加工群５の領域から下方に出た領域外に延長させてもよい。
【００４１】
尚、前記易剥離加工群５と第２胴壁部２の上縁２５との間の表面を封緘用粘着テープＦに対する接着域６としている。
この接着域６は、易剥離加工を何ら施さずに第２胴壁部２の表面地肌のままであり、
この接着域６を設けることで、包装に際し、封緘用粘着テープを第２胴壁部に確実に接着させて封緘させることができる。尚、図６に示すように、封緘用粘着テープＦの端末位置を、易剥離加工群５の領域から下方に出た領域外に延長させるときは、接着域６を設けなくてもよい。
【００４２】
前記易剥離加工群５内の中央部分における第２胴壁部２の壁体には、封緘用粘着テープＦを表面から箱の内部方向へ押して凹み易くするための凹み形成補助部７が形成されている。
実施例の凹み形成補助部７は、図３に示すように、第２胴壁部２の壁体を貫通させた４本の切り込み線７０を交差させるように形成したものである。
従って、図５、図７に示すように、その交差部分を封緘用粘着テープＦの上から指先で押すことで第２胴壁部２の壁体を凹ませれば、封緘用粘着テープＦを歪み変形させて浮かせることができ、その浮いた部位を掴むことができるため容易に剥離させることができる。
【００４３】
前記凹み形成補助部７としては、図３で示したものに限らず、例えば、１本の切り込み線７０を形成したもの、２本又は３本の切り込み線を交差させたもの、切り込み線をＵ字状に形成したもの、図１１に示すように切り込み線７０をＣ字状に形成したもの、図１２に示すように切り込み線７０をＶ字状に形成したもの、図１３に示すように指先太さ程度の抜き孔７１を形成したもの、その他、箱の内部方向へ押して凹み易くするためのものあれば、その形状や構造は任意である。
又、前記した切り込み線７０については連続した切り込み線でもよいし、切り込み部と非切り込み部とを交互に連続させたミシン目線でもよい。
【００４４】
又、図１４で示すように、易剥離加工群５を、壁体の表面に易剥離性に優れた成分構成の剥離剤を塗布した易剥離面４上に形成させることができる。
易剥離面４の剥離剤としては、シリコン系、セラック系、アルキル系、フッ素系、蝋、ワックスなどを使用できる。
尚、前記易剥離面４は、壁体の表面に剥離剤を直接に塗布したものに限られるものではなく、例えば、表面に剥離剤を塗布したラベルを壁体の表面に貼り付けたものについても本発明の易剥離面４に含めるものとする。
【００４５】
尚、前記実施例ではダンボール箱を包装用紙箱の例としたが、ダンボール箱に限らず、厚板紙やボール紙による包装用紙箱にも本発明を適用できる。
【符号の説明】
【００４６】
１  第１胴壁部
１０  外フラップ
２  第２胴壁部
２０  内フラップ
２５  上縁
３  四角筒状胴部
４  易剥離面
５  易剥離加工群
５ａ  小孔群
５ｂ  凸部群
５ｃ  凹部群
５ｄ  切込み群
６  接着域
７  凹み形成補助部
【図１】
2014001007.tif 000003
【図２】
2014001007.tif 000004
【図３】
2014001007.tif 000005
【図４】
2014001007.tif 000006
【図５】
2014001007.tif 000007
【図６】
2014001007.tif 000008
【図７】
2014001007.tif 000009
【図８】
2014001007.tif 000010
【図９】
2014001007.tif 000011
【図１０】
2014001007.tif 000012
【図１１】
2014001007.tif 000013
【図１２】
2014001007.tif 000014
【図１３】
2014001007.tif 000015
【図１４】
2014001007.tif 000016